(57)【要約】【課題】優れた操作性を具備させることができるコンパクト容器を提供する。【解決手段】本発明に係るコンパクト容器１は、第１取出口２ａが形成された上容器２と、上容器２から下方に延びて下端面が接地面とされるとともに、前方に向けて開口する脚部２２と、上容器２に対する相対回転により、第１取出口２ａを開閉可能とするキャップ１２と、前後方向Ｌ１にスライド移動可能に脚部２２に支持された下容器３と、を備えている。【選択図】図１
2020103810.tif 000002
【特許請求の範囲】
【請求項１】
第１取出口が形成された第１収容部を有する上容器と、
前記上容器から下方に延びて下端面が接地面とされるとともに、前方に向けて開口する脚部と、
前記上容器に対する相対回転により、前記第１取出口を開閉可能とするキャップと、
第２取出口が形成された第２収容部を有するとともに、前後方向にスライド移動可能に前記脚部に支持された下容器と、を備え、
前記下容器は、
前記上容器の下方に配置され、前記上容器によって前記第２取出口が閉塞された閉位置と、
前記脚部に対する前方へのスライド動作に伴い、前記第２取出口が開放された開位置と、の間を移動するコンパクト容器。
【請求項２】
前後方向にスライド移動可能に前記脚部に支持されるとともに、最前端位置において前記脚部から前方に突出する下容器支持部を有するスライドレールを備え、
前記下容器は、前記スライドレールに対して前後方向にスライド移動可能に前記下容器支持部に支持されている請求項１に記載のコンパクト容器。
【請求項３】
前記下容器は、
前記第２収容部が設けられた抽斗本体と、
前記抽斗本体から左右方向の外側に張り出し、前記下容器支持部に下方から支持される外フランジ部と、を備えている請求項２に記載のコンパクト容器。
【請求項４】
前記脚部のうち、前記スライドレールの下方に位置する部分には、左右方向の内側に張り出し、前記スライドレールを下方から支持するレール支持部が形成されている請求項３に記載のコンパクト容器。
【請求項５】
前記脚部のうち、前記下容器の後方に位置する後壁部には、前記後壁部を前後方向に貫通するとともに、前記下容器を露出させる露出部が形成されている請求項１から請求項４の何れか１項に記載のコンパクト容器。
【請求項６】
前記下容器は、後方に向けて突出するとともに、前記閉位置において前記露出部内に収容される突起部を備え、
前記突起部の後面と、前記後壁部の後面と、が面一に配置されている請求項５に記載のコンパクト容器。
【発明の詳細な説明】
【技術分野】
【０００１】
本発明は、コンパクト容器に関する。
【背景技術】
【０００２】
コンパクト容器として、上下２段構成のものが知られている。この種のコンパクト容器は、第１内容物が収容されるとともに、第１内容物を取り出す第１取出口が形成された上容器と、第２内容物が収容されるとともに、第２内容物を取り出す第２取出口が形成された下容器と、を備えている。例えば、下記特許文献１に記載されたコンパクト容器では、上容器には、第１取出口を開閉するキャップが螺着されている。下容器は、上容器の下方において、上容器に対して旋回可能に取り付けられている。下容器の閉位置において、第２取出口は上容器によって閉塞されている。
【先行技術文献】
【特許文献】
【０００３】
【特許文献１】特開２００９−１２５１１７号公報
【発明の概要】
【発明が解決しようとする課題】
【０００４】
しかしながら、特許文献１発明にあっては、キャップの回転操作（上容器の開閉操作）の際に、下容器が上容器に対して相対回転することで、第２取出口が開放されてしまう可能性がある。
また、第２取出口が開放された状態（下容器が上容器に対して平面視でずれた状態）において、例えば第１内容物を取り出そうとした場合、上容器に作用する荷重によって上容器が傾いてしまう可能性もある。
【０００５】
本発明は、優れた操作性を具備させることができるコンパクト容器を提供することを目的とする。
【課題を解決するための手段】
【０００６】
上記課題を解決するために、本発明は以下の態様を提案している。
本発明の一態様に係るコンパクト容器は、第１取出口が形成された第１収容部を有する上容器と、前記上容器から下方に延びて下端面が接地面とされるとともに、前方に向けて開口する脚部と、前記上容器に対する相対回転により、前記第１取出口を開閉可能とするキャップと、第２取出口が形成された第２収容部を有するとともに、前後方向にスライド移動可能に前記脚部に支持された下容器と、を備え、前記下容器は、前記上容器の下方に配置され、前記上容器によって前記第２取出口が閉塞された閉位置と、前記脚部に対する前方へのスライド動作に伴い、前記第２取出口が開放された開位置と、の間を移動する。
【０００７】
本態様によれば、上容器に対する相対回転により第１取出口を開閉するキャップが上容器に着脱可能に装着され、下容器が脚部にスライド可能に支持されている。そのため、下容器が上容器に対して旋回可能な従来の構成と異なり、キャップの着脱操作（回転操作）に伴って下容器が予期せず移動するのを抑制できる。
しかも、本態様では、下容器が上容器から下方に延びる脚部にスライド可能に支持されている。そのため、コンパクト容器の接地面として脚部を利用できるため、下容器が開位置にあるときであっても、上容器が脚部によって安定して支持される。これにより、下容器が開位置にあるときに、例えば上容器から第１内容物を取り出す際に容器本体に対して上方から作用する荷重によって、上容器が傾いたりするのを抑制できる。
その結果、優れた操作性を具備させることができる。
【０００８】
上記態様に係るコンパクト容器において、前後方向にスライド移動可能に前記脚部に支持されるとともに、最前端位置において前記脚部から前方に突出する下容器支持部を有するスライドレールを備え、前記下容器は、前記スライドレールに対して前後方向にスライド移動可能に前記下容器支持部に支持されていてもよい。
本態様によれば、スライドレールの最前端位置において下容器支持部が脚部よりも前方に突出するとともに、下容器がスライドレール（下容器支持部）を介して脚部にスライド移動可能に構成されている。そのため、下容器と脚部との係合代を確保する必要がないので、下容器が脚部に直接支持されている構成に比べて、開位置における下容器の脚部からの突出量を確保できる。そのため、開位置における第２取出口の前後方向での開口幅を確保し易くなる。これにより、第２内容物の容積を増加させたり、第２取出口を通じた第２内容物の取り出しを容易にできたりするので、操作性の更なる向上を図ることができる。
【０００９】
上記態様に係るコンパクト容器において、前記下容器は、前記第２収容部が設けられた抽斗本体と、前記抽斗本体から左右方向の外側に張り出し、前記下容器支持部に下方から支持される外フランジ部と、を備えていてもよい。
本態様によれば、下容器が外フランジ部を介して下容器支持部に下方から支持される。これにより、下容器が左右方向の凹凸等によってスライドレールに支持される構成に比べ、第２収容部（第２取出口）の左右方向の幅を確保した上で、下容器のスライド操作時におけるがたつき等を抑制できる。
【００１０】
上記態様に係るコンパクト容器において、前記脚部のうち、前記スライドレールの下方に位置する部分には、左右方向の内側に張り出し、前記スライドレールを下方から支持するレール支持部が形成されていてもよい。
本態様によれば、外フランジ部、スライドレール及びレール支持部が上下方向に並ぶので、下容器、スライドレール及び脚部が左右方向の凹凸等で支持し合う構成に比べ、第２取出口の左右方向での開口幅を確保し易くなる。これにより、第２内容物の容積を増加させたり、第２取出口を通じた第２内容物の取り出しを容易にできたりするので、操作性の更なる向上を図ることができる。
【００１１】
上記態様に係るコンパクト容器において、前記脚部のうち、前記下容器の後方に位置する後壁部には、前記後壁部を前後方向に貫通するとともに、前記下容器を露出させる露出部が形成されていてもよい。
本態様によれば、露出部を通じて下容器を前方に押し込むことで、下容器を開位置に向けてスライドさせることができる。これにより、操作性の更なる向上を図ることができる。
しかも、下容器の前壁部に摘み用の突起等を設ける場合に比べて、コンパクト容器全体の平面視外形を小さくすることも可能になる。
【００１２】
上記態様に係るコンパクト容器において、前記下容器は、後方に向けて突出するとともに、前記閉位置において前記露出部内に収容される突起部を備え、前記突起部の後面と、前記後壁部の後面と、が面一に配置されていてもよい。
本態様によれば、突起部の後面と、後壁部の後面と、を面一に配置することで、突起部の後面と、後壁部の後面と、が滑らかに連なる。これにより、露出部を形成した場合であっても、コンパクト容器の見映えを維持できる。
【発明の効果】
【００１３】
本発明の各態様によれば、優れた操作性を具備させることができる。
【図面の簡単な説明】
【００１４】
【図１】第１実施形態に係るコンパクト容器において、下容器が閉位置にあるときの断面図である。
【図２】第１実施形態に係るコンパクト容器において、下容器が閉位置にあるときの断面図である。
【図３】図２のＩＩＩ−ＩＩＩ線に沿う断面図である。
【図４】第１実施形態に係るコンパクト容器において、下容器が開位置にあるときの断面図である。
【図５】図６のＶ−Ｖ線に沿う断面図である。
【図６】第２実施形態に係るコンパクト容器において、下容器が閉位置にあるときの断面図である。
【図７】第２実施形態に係るコンパクト容器の未使用状態を示す断面図である。
【図８】第２実施形態に係るコンパクト容器において、下容器が開位置にあるときの部分断面図である。
【発明を実施するための形態】
【００１５】
以下、本発明に係る実施形態について図面を参照して説明する。以下の各実施形態において、対応する構成については同一の符号を付して説明を省略する場合がある。
【００１６】
（第１実施形態）
図１、図２に示すように、コンパクト容器１は、直方体形状に形成されている。本実施形態のコンパクト容器１は、上容器２及び下容器３が上下方向に重ねられた２段構成のものである。以下の説明では、コンパクト容器１において、上容器２及び下容器３の積層方向を上下方向といい、上下方向に沿う上容器２側を上方といい、下容器３側を下方という。また、上下方向に直交する方向のうち、第１方向を前後方向Ｌ１といい、第２方向を左右方向Ｌ２という。
【００１７】
コンパクト容器１は、容器本体１１と、キャップ１２と、上述した下容器３と、を備えている。
容器本体１１は、上述した上容器２と、脚部２２と、を備えている。
上容器（第１収容部）２は、有底筒状に形成されている。上容器２内には、第１内容物が収容される。第１内容物としては、例えば化粧料（ファンデーション等）や、化粧具（刷毛、パフ等）が挙げられる。但し、第１内容物は、化粧料や化粧具以外の内容物であってもよい。なお、上容器２は、上容器２の内側に中皿等の収容部（第１収容部）を有する構成であってもよい。
【００１８】
上容器２の上端開口部は第１内容物を取り出す第１取出口２ａを構成している。上容器２の筒部において、外周面には雄ねじ部が形成されている。なお、上容器２における筒部の下端部には、容器側回り止め部２４が形成されている。
上容器２の底部は、筒部の下端開口を閉塞するとともに、筒部よりも前後方向Ｌ１及び左右方向Ｌ２に張り出している。
【００１９】
脚部２２は、上容器２における底部の外周縁から下方に延設されている。本実施形態の脚部２２は、上容器２の底部において、前辺を除く三辺に形成されている。すなわち、脚部２２は、前方及び下方に向けて開口している。脚部２２の下端面は、コンパクト容器１がテーブルや手等に載置される際の接地面とされている。具体的に、脚部２２は、左右両側に位置する一対の脚側壁部３１と、脚側壁部３１の後端部同士を接続する脚後壁部３２と、を備えている。
【００２０】
図１に示すように、脚部２２は、脚側壁部３１の下端部から左右方向Ｌ２の内側に向けて突出するガイド部３３を有している。図１、図３に示すように、脚側壁部３１の前端部において、ガイド部３３に対して上方に位置する部分には、左右方向Ｌ２の内側に突出する抜け止め突起３４が形成されている。抜け止め突起３４は、平面視で台形状に形成されている。具体的に、抜け止め突起３４は、後面が左右方向Ｌ２に延びる平坦面に形成され、前面が後方に向かうに従い左右方向Ｌ２の内側に延びる傾斜面とされている。
【００２１】
図２、図３に示すように、脚後壁部３２には、脚後壁部３２を貫通する露出部３５が形成されている。露出部３５は、正面視で台形状に形成されている。露出部３５は、脚後壁部３２の下端縁で開口している。なお、露出部３５の形状等は、下容器３の開操作時に例えば指等が挿通可能な大きさであれば適宜変更が可能である。
【００２２】
図１に示すように、キャップ１２は、上容器２に着脱可能に構成され、第１取出口２ａを開閉する。具体的に、キャップ１２は、キャップ本体４１と、外装体４２と、を備えている。
【００２３】
キャップ本体４１は、有頂筒状に形成されている。キャップ本体４１における筒部の内周面には、雌ねじ部が形成されている。キャップ本体４１は、上容器２に着脱可能に螺着される。但し、キャップ本体４１は、上容器２に対する相対回転により着脱可能な構成であればよい。このような構成として、ねじ形状以外に螺旋状の溝に対して凸部が係合する構成等であってもよい。
【００２４】
キャップ本体４１における筒部の下端部には、キャップ側回り止め部４３が形成されている。キャップ側回り止め部４３は、キャップ１２の締め込み時において、上容器２の周方向で容器側回り止め部２４に当接することで、上容器２に対するキャップ１２の相対回転を規制する。
キャップ本体４１の頂部には、シール筒４５が形成されている。シール筒４５は、キャップ１２の閉位置において、上容器２における筒部の内周面に密接する。
【００２５】
外装体４２は、キャップ本体４１の上方及び側方からキャップ本体４１を取り囲んでいる。外装体４２の平面視形状は、例えば矩形状に形成されている。但し、外装体４２（キャップ１２）の平面視形状は、円形状や三角形状等、適宜変更が可能である。
【００２６】
下容器３は、抽斗部６１と、中皿（第２収容部）６２と、中皿保持枠６３と、を備えている。
抽斗部６１は、上方に開口する箱型に形成されている。抽斗部６１は、脚側壁部３１に前後方向Ｌ１にスライド可能に支持されている。図３に示すように、下容器３は、脚部２２の内側に収容された閉位置（図３における符号Ｐ）と、少なくとも前部が脚部２２から前方に突出して中皿６２の上端開口部（以下、第２取出口６２ａという。）が開放された開位置（図３における符号Ｑ）と、の間をスライドする。本実施形態の下容器３は、閉位置Ｐにおいて、上容器２の底部と平面視で重なり合うとともに、下容器３の上端開口部が上容器２の底部により閉塞されている。
【００２７】
図１、図３に示すように、抽斗部６１の周壁部６０において、左右両側に位置する抽斗側壁部６５には、左右方Ｌ２向の内側に窪むスライド溝６６が形成されている。スライド溝６６は、抽斗側壁部６５の前後両端部で終端している。
【００２８】
図１に示すように、各抽斗側壁部６５の下端部には、左右方向Ｌ２の内側に窪む収容溝６７が形成されている。各収容溝６７内には、上述したガイド部３３がそれぞれ収容されている。ガイド部３３は、収容溝６７の内面を収容溝６７の下方若しくは左右方向Ｌ２の外側から摺動可能に支持している。なお、抽斗部６１の下面は、ガイド部３３の下面に対して面一若しくは上方に位置している。
【００２９】
抽斗部６１の周壁部６０において、後方に位置する抽斗後壁部６８には、後方に向けて突出する突起部７１が形成されている。突起部７１は、前後方向Ｌ１から見た正面視で、上述した露出部３５に倣った台形状に形成されている。突起部７１は、下容器３の閉位置において、露出部３５内に収容されている。本実施形態において、突起部７１の後面は、脚後壁部３２の後面に対して面一に配置されている。なお、突起部７１の平面視形状は、露出部３５の平面視形状と異なっていてもよい。また、抽斗部６１の抽斗前壁部７３に摘み等を設けてもよい。
【００３０】
中皿６２は、上方に開口する箱型に形成されている。中皿６２は、嵌合等によって抽斗部６１内に保持されている。なお、本実施形態では、下容器３の開位置において、第２取出口６２ａの全てが開放される。但し、下容器３の開位置において、第２取出口６２ａの少なくとも一部が開放されれば、下容器３のスライド量は適宜設定が可能である。
【００３１】
中皿６２内には、第２内容物が収容されている。中皿６２の上端開口部は、第２内容物を取り出す第２取出口６２ａを構成している。なお、第２内容物としては、例えば化粧料（ファンデーション等）や、化粧具（刷毛、パフ等）が挙げられる。但し、第２内容物は、化粧料や化粧具以外の内容物であってもよい。図示の例では中皿６２の内部を１つの収容空間としているが、例えば複数の仕切り壁によって中皿６２の内部を複数の収容空間に仕切る構成としても構わない。この場合には、例えば各収容空間内に異なる内容物を別個に収容することが可能となる。なお、下容器３は、中皿６２を有さない構成であってもよい。
【００３２】
中皿保持枠６３は、抽斗部６１の周壁部６０と中皿６２との間に介在している。
【００３３】
次に、上述したコンパクト容器１の使用方法について説明する。
第１内容物を取り出す際には、キャップ１２を上容器２から取り外す。具体的には、脚部２２を把持した状態で、容器本体１１に対してキャップ１２を緩み方向に回転させる。すると、キャップ１２が上容器２から取り外され、第１取出口２ａが開放される。これにより、第１取出口２ａを通じて第１内容物を取り出すことができる。なお、第１内容物を取り出した後、上容器２を閉塞する場合には、上容器２に対してキャップ１２を締め付け方向に回転させる。この際、容器側回り止め部２４及びキャップ側回り止め部４３同士が周方向で当接する位置までキャップ１２を締め付ける。これにより、上容器２に対するキャップ１２の締め付け方向への回転が規制される。
【００３４】
図３、図４に示すように、第２内容物を取り出す際には、容器本体１１に対して下容器３を前方に引き出す。具体的には、露出部３５を通じて突起部７１を前方に押し出す。すると、下容器３が脚部２２に対して前方に移動する。これにより、第２取出口６２ａが開放され、第２取出口６２ａを通じて第２内容物を取り出すことができる。なお、下容器３の開操作時において、スライド溝６６の後端面が抜け止め突起３４の後面に抜け止め突起３４の後方から突き当たるまで下容器３を押し込むことで、容器本体１１に対する下容器３の前方移動が規制される。
【００３５】
ここで、本実施形態では、上容器２に対する相対回転により第１取出口２ａを開閉するキャップ１２が上容器２に着脱可能に装着される一方、下容器３が脚部２２にスライド可能に支持された構成とした。
この構成によれば、下容器が上容器に対して旋回可能な従来の構成と異なり、キャップ１２の着脱操作（回転操作）に伴って下容器３が予期せず移動するのを抑制できる。
【００３６】
しかも、本実施形態では、下容器３が上容器２から下方に延びる脚部２２にスライド可能に支持される構成とした。
この構成によれば、コンパクト容器１の接地面として脚部２２を利用できるため、下容器３が開位置にあるときであっても、上容器２が脚部２２によって安定して支持される。これにより、下容器３が開位置にあるときに、例えば上容器２から第１内容物を取り出す際に容器本体１１に対して上方から作用する荷重によって、上容器２が傾いたりするのを抑制できる。
その結果、優れた操作性を具備させることができる。
【００３７】
本実施形態では、脚部２２の脚後壁部３２に下容器３を露出させる露出部３５が形成されている構成とした。
この構成によれば、露出部３５を通じて下容器３を前方に押し込むことで、下容器３を開位置に向けてスライドさせることができる。これにより、操作性の更なる向上を図ることができる。
しかも、下容器３の抽斗前壁部７３に摘み用の突起等を設ける場合に比べて、コンパクト容器１全体の平面視外形を小さくすることも可能になる。
【００３８】
本実施形態では、抽斗部６１から後方に突出するとともに、下容器３の閉位置において露出部３５内に収容される突起部７１を備え、突起部７１の後面と、脚後壁部３２の後面と、を面一に配置される構成とした。
この構成によれば、突起部７１の後面と、脚後壁部３２の後面と、を面一に配置することで、突起部７１の後面と、脚後壁部３２の後面と、が滑らかに連なる。これにより、露出部３５を形成した場合であっても、コンパクト容器１の見映えを維持できる。
【００３９】
本実施形態では、脚側壁部３１の下端部から左右方向Ｌ２の内側に向けてガイド部３３が突出している構成とした。
この構成によれば、例えばガイド部が脚側壁部３１における上下方向の中央部に形成されている場合に比べ、脚部２２の接地面を広く確保できるので、上容器２がより安定して支持される。
【００４０】
（第２実施形態）
次に、本発明に係る第２実施形態を説明する。本実施形態のコンパクト容器１００は、下容器３がスライドレール１０１を介して脚部２２にスライド可能に支持されている点で、上述した実施形態と相違している。
図５に示すコンパクト容器１００において、ガイド部３３における前後方向Ｌ１の中間部には、規制突起１１０が形成されている。規制突起１１０は、左右方向Ｌ２から見た側面視で三角形状に形成されている。具体的に、規制突起１１０は、後面が上下方向に延びる平坦面に形成され、前面が後方に向かうに従い上方に延びる傾斜面に形成されている。
【００４１】
図６に示すように、脚部２２は、ガイド部３３における左右方向Ｌ２の内側端部に、上方に延びる内側壁部１１１を有している。内側壁部１１１は、ガイド部３３の全長に亘って延びている。本実施形態において、脚側壁部３１、ガイド部３３及び内側壁部１１１によって上方に開口するレール収容部１１２を構成している。
【００４２】
図５に示すように、スライドレール１０１は、容器本体１１及び下容器３の双方に対して前後方向Ｌ１にスライド可能に構成されている。スライドレール１０１は、ベース部１２０と、本体支持部（前側本体支持部１２１及び後側本体支持部１２２）と、下容器支持部１２３と、を備えている。
ベース部１２０は、前後方向Ｌ１に延在している。ベース部１２０の後端部には、後方に開口する長溝１２５が形成されている。長溝１２５は、前後方向Ｌ１に延在している。これにより、ベース部１２０のうち、長溝１２５に対して下方に位置する部分は、上下方向に撓み変形可能な舌片部１２７を構成している。
【００４３】
前側本体支持部１２１は、ベース部１２０の前端部から下方に突出している。前側本体支持部１２１は、上述したレール収容部１１２内に収容されている。前側本体支持部１２１の後端面は、下容器３の閉位置において、規制突起１１０に規制突起１１０の前方から近接する。
【００４４】
後側本体支持部１２２は、ベース部１２０の後端部（舌片部１２７）から下方に突出している。後側本体支持部１２２は、上述したレール収容部１１２内に収容されている。すなわち、スライドレール１０１は、レール収容部１１２にスライドレール１０１の下方から支持されている。後側本体支持部１２２は、下容器３の開位置（図８参照）において、規制突起１１０の後面に規制突起１１０の後方から近接又は当接する。
【００４５】
図６に示すように、下容器支持部１２３は、ベース部１２０の前端部のうち、左右方向Ｌ２の内側寄りに位置する部分から上方に突出している。図７に示すように、下容器支持部１２３は、スライドレール１０１の最前端位置において、容器本体１１から前方に突出する。
【００４６】
図６に示すように、下容器３の抽斗部１３０は、抽斗本体１３１と、外フランジ部１３２と、を備えている。
抽斗本体１３１は、上方に開口する箱型に形成されている。抽斗本体１３１内には、上述した中皿６２が保持されている。抽斗本体１３１において、左右方向Ｌ２の両側に位置する側壁部１３５の下端部には、左右方向Ｌ２の内側に窪む収容溝１３６が形成されている。収容溝１３６内には、上述した内側壁部１１１が収容されている。上述した内側壁部１１１は、収容溝１３６の内面を収容溝１３６の下方若しくは左右方向Ｌ２の外側から摺動可能に支持している。
【００４７】
外フランジ部１３２は、抽斗本体１３１における側壁部１３５の上端部から左右方向Ｌ２の外側に張り出している。図５に示すように、外フランジ部１３２のうち、前後両端部を除く部分には、下方に開口するレール収容部１４０が形成されている。レール収容部１４０内には、レール収容部１４０の下方から上述した下容器支持部１２３が収容されている。すなわち、下容器支持部１２３は、レール収容部１４０内で下容器３を前後方向Ｌ１にスライド移動可能に支持している。このように、本実施形態では、外フランジ部１３２がスライドレール１０１に下方から支持されるとともに、スライドレール１０１が上述したガイド部３３や内側壁部１１１によって下方から支持されている。すなわち、下容器３、スライドレール１０１及び脚部２２のスライド支持部分が上下方向に並んでいる。なお、レール収容部１４０の前後両端面は、スライドレール１０１に対する下容器３の移動を規制する規制面として機能する。
【００４８】
図６に示すように、本実施形態のキャップ１５０は、キャップ本体４１及び外装体４２に加え、移行中栓１５１を備えている。
キャップ本体４１の頂部には、引上筒１５２が形成されている。
【００４９】
移行中栓１５１は、有底筒状の容器嵌合部１５５と、容器嵌合部１５５の筒部から上方に延びるキャップ嵌合筒１５６と、を備えている。
容器嵌合部１５５は、上容器２内に嵌合可能に構成されている。
キャップ嵌合筒１５６は、キャップ本体４１の引上筒１５２と、キャップ本体４１の周壁部と、の間に嵌合可能に構成されている。なお、キャップ嵌合筒１５６と、キャップ本体４１の引上筒１５２及び周壁部の間に作用する嵌合力（摩擦力）は、容器嵌合部１５５と、上容器２の内周面と、の間に作用する嵌合力よりも大きく設定されている。
【００５０】
図７に示すように、移行中栓１５１は、上容器２内への第１内容物の充填後、キャップ本体４１とは別に上容器２内に装着される。その後、キャップ本体４１を上容器２に装着させる際、締め付け方向に回転させると、上容器２に対するキャップ本体４１の下方移動に伴い、キャップ本体４１の引上筒１５２と、キャップ本体４１の周壁部と、の間にキャップ嵌合筒１５６が嵌合される。これにより、キャップ本体４１と移行中栓１５１が組み付けられる。その後、コンパクト容器１の使用時には、キャップ本体４１を緩み方向に回転させることで、移行中栓１５１がキャップ本体４１及び外装体４２とともに、上容器２に対して上方移動する。これにより、上容器２の第１取出口２ａが開放される。
【００５１】
このように、上容器２内への第１内容物の充填後に予め移行中栓１５１により上容器２（第１取出口２ａ）を閉塞しておくことで、第１内容物の充填後、キャップ本体４１の装着までの期間を確保できる。これにより、キャップ本体４１の選択の自由度を向上させるとともに、キャップ本体４１の製造状況に関わらずに第１内容物の充填作業を行うことができる。
【００５２】
次に、本実施形態のコンパクト容器１００の使用方法について説明する。なお、以下の説明では、第２内容物の取出方法について説明する。
図８に示すように、第２内容物を取り出す際には、露出部３５を通じて突起部７１を前方に押し出す。すると、下容器３が容器本体１１及びスライドレール１０１に対して前方に移動するとともに、スライドレール１０１が容器本体１１に対して前方に移動する。これにより、第２取出口６２ａが開放されることで、第２取出口６２ａを通じて第２内容物を取り出すことができる。下容器３の開操作時において、後側本体支持部１２２の前端面が規制突起１１０の後面に規制突起１１０の後方から突き当たるまで下容器３を押し込むことで、容器本体１１に対するスライドレール１０１の前方移動が規制される。また、下容器３の開操作時において、レール収容部１４０の後端面が下容器支持部１２３の後端面に下容器支持部１２３の後方から突き当たるまで下容器３を押し込むことで（スライドレール１０１の最前端位置）、容器本体１１及びスライドレール１０１に対する下容器３の前方移動が規制される。なお、下容器３の開位置において、下容器支持部１２３は容器本体１１に対して前方に突出している。
【００５３】
本実施形態では、上述した実施形態と同様の作用効果を奏することに加え、以下の作用効果を奏する。
すなわち、スライドレール１０１の最前端位置において下容器支持部１２３が脚部２２よりも前方に突出するとともに、下容器３がスライドレール１０１（下容器支持部１２３）を介して脚部２２にスライド移動可能に構成されている。そのため、下容器３と脚部２２との係合代を確保する必要がないので、下容器３が脚部２２に直接支持されている構成に比べて、開位置における下容器３の脚部２２からの突出量を確保できる。そのため、開位置における第２取出口６２ａの前後方向Ｌ１の開口幅を確保し易くなる。これにより、第２内容物の容積を増加させたり、第２取出口を通じた第２内容物の取り出しを容易にできたりするので、操作性の更なる向上を図ることができる。
【００５４】
本実施形態では、下容器３が外フランジ部１３２を介して下容器支持部１２３に下方から支持される構成とした。
この構成によれば、下容器３が左右方向Ｌ２の凹凸等によってスライドレール１０１に支持される構成に比べ、第２取出口６２ａの左右方向Ｌ２の幅を確保した上で、下容器３のスライド操作時におけるがたつき等を抑制できる。
【００５５】
本実施形態では、脚部２２のうち、スライドレール１０１の下方に位置する部分には、左右方向Ｌ２の内側に張り出し、スライドレール１０１を下方から支持するガイド部３３が形成された構成とした。
この構成によれば、外フランジ部１３２、スライドレール１０１及びガイド部３３が上下方向に並ぶので、下容器３、スライドレール１０１及び脚部２２が左右方向Ｌ２の凹凸等で支持し合う構成に比べ、第２取出口６２ａの左右方向Ｌ２での開口幅を確保し易くなる。これにより、第２内容物の容積を増加させたり、第２取出口を通じた第２内容物の取り出しを容易にできたりするので、操作性の更なる向上を図ることができる。
【００５６】
以上、本発明の好ましい実施形態を説明したが、本発明はこれら実施形態に限定されることはない。本発明の趣旨を逸脱しない範囲で、構成の付加、省略、置換及びその他の変更が可能である。本発明は上述した説明によって限定されることはなく、添付の特許請求の範囲によってのみ限定される。
例えば、上述した実施形態では、脚後壁部３２の後面と、突起部７１の後面と、が面一に配置された構成について説明したが、この構成のみに限られない。突起部７１は、露出部３５内に収容される構成であれば、脚後壁部３２の後面よりも前方に位置していてもよい。露出部３５内に突起部７１が収容されることで、下容器３（突起部７１）の後面と、脚後壁部３２の後面と、の間の段差を小さくできる。これにより、露出部３５を形成した場合であっても、コンパクト容器１の見映えを維持できる。
また、コンパクト容器は、露出部３５のみを有する構成でもよく、露出部３５及び突起部７１の双方を有さない構成でもよい。
【００５７】
上述した実施形態では、脚部２２が前方及び下方に開口している構成について説明したが、この構成のみに限られない。脚部２２は、少なくとも前方に開口していれば、下方が閉塞されていてもよい。また、脚部２２は、上容器２の底部に対して間欠的に形成されていてもよい。
上述した実施形態では、下容器３の下面と、脚部２２の下端面と、が面一に配置された構成について説明したが、この構成のみに限られない。脚部２２の下端面は、下容器３の下面よりも下方に延設されていてもよい。
上述した各実施形態において、第１実施形態では移行中栓１５１を有さないキャップ１２を採用し、第２実施形態では移行中栓１５１を有するキャップ１５０を採用した場合について説明したが、この構成のみに限られない。すなわち、第１実施形態で移行中栓１５１を有するキャップ１５０を採用し、第２実施形態で移行中栓１５１を有さないキャップ１２を採用してもよい。
【００５８】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５９】
１…コンパクト容器
２…上容器（第１収容部）
２ａ…第１取出口
３…下容器
１２…キャップ
２２…脚部
３２…脚後壁部
３３…ガイド部（レール支持部）
３５…露出部
６２…中皿（第２収容部）
６２ａ…第２取出口
７１…突起部
１００…コンパクト容器
１０１…スライドレール
１１１…内側壁部（レール支持部）
１２３…下容器支持部
１５０…キャップ
【図１】
2020103810.tif 000003
【図２】
2020103810.tif 000004
【図３】
2020103810.tif 000005
【図４】
2020103810.tif 000006
【図５】
2020103810.tif 000007
【図６】
2020103810.tif 000008
【図７】
2020103810.tif 000009
【図８】
2020103810.tif 000010